(57)【要約】【課題】動作モードの選択をスムーズに行えることが可能なギヤ連結機構およびファクシミリ装置を提供する。【解決手段】駆動モータからの動力を受けて回転する太陽ギヤ１２と、太陽ギヤ１２と同軸に配設され、動作モードに応じたカム溝１３１が形成されたカムギヤ１３と、カムギヤ１３の回転と共に、太陽ギヤ１２の周囲を公転可能に設けられた遊星ギヤ１４と、揺動可能に軸支され、カムギヤ１３が一方向に回転するときにはカム溝１３１を通過し、カムギヤ１３が他方向に回転するときにはカム溝１３１に係止して遊星ギヤ１４の公転を阻止することで、動作モードを選択する爪部１６１を先端に有する第１〜第３アーム部１６〜１８と、爪部１６１がカム溝に係止したときに、遊星ギヤ１４に噛み合うことで、太陽ギヤ１２の回転で自転する遊星ギヤ１４の回転を、被駆動部へ伝達する伝達ギヤ１６２とを備えた。【選択図】図６
2008060782.tif 000002
【特許請求の範囲】
【請求項１】
駆動系からの動力を受けて回転する太陽ギヤと、
前記太陽ギヤと同軸に配設され、動作モードに応じたカム溝が形成されたカムギヤと、
前記カムギヤの回転により前記太陽ギヤの周囲を公転するように設けられた遊星ギヤと、
揺動可能に軸支され、前記カムギヤが一方向に回転するときにはカム溝を通過し、前記カムギヤが他方向に回転するときにはカム溝と係合して前記遊星ギヤの公転を阻止することで、動作モードを選択する爪部を先端に有するアーム部と、
前記爪部がカム溝と係合したときに、前記遊星ギヤに噛み合うことで、前記太陽ギヤの回転で自転する前記遊星ギヤの回転を、被駆動部へ伝達する伝達ギヤと、
を備えたことを特徴とするギヤ連結機構。
【請求項２】
前記伝達ギヤは、前記爪部の基部に設けられていることを特徴とする請求項１記載のギヤ連結機構。
【請求項３】
前記伝達ギヤが回転を伝達する最初のギヤを、前記アーム部の支軸に設けたことを特徴とする請求項１または２記載のギヤ連結機構。
【請求項４】
少なくとも、受信した内容を印刷するための記録紙搬送動作モードと、送信する原稿を読み取るための原稿搬送動作モードと、前記記録紙搬送動作モードおよび原稿搬送動作モードを並行して行うコピー動作モードとの切り替えを行うギヤ連結機構を有するファクシミリ装置において、
駆動系からの動力を受けて回転する太陽ギヤと、
前記太陽ギヤと同軸に配設され、動作モードに応じたカム溝が形成されたカムギヤと、
前記カムギヤの回転と共に、前記太陽ギヤの周囲を公転可能に設けられた遊星ギヤと、
揺動可能に軸支され、前記カムギヤが一方向に回転するときにはカム溝を通過し、前記カムギヤが他方向に回転するときにはカム溝に係止して前記遊星ギヤの公転を阻止することで、動作モードを選択する爪部を先端に有するアーム部と、
前記爪部がカム溝に係止したときに、前記遊星ギヤに噛み合うことで、前記太陽ギヤの回転で自転する前記遊星ギヤの回転を、被駆動部へ伝達する伝達ギヤとを備え、
前記動作モードを切り替えるときに、所望とする動作モードのカム溝の位置まで、前記駆動系により、前記カムギヤが一方向に回転するように前記太陽ギヤを駆動した後、前記カムギヤを他方向へ回転するように前記太陽ギヤを駆動することで、所望とする動作モードに該当するアーム部の爪部をカム溝に係止させて、前記遊星ギヤに噛み合った伝達ギヤが、動作モードに応じた被駆動部に回転を伝達することを特徴とするファクシミリ装置。
【発明の詳細な説明】
【技術分野】
【０００１】
本発明は、駆動源からの回転を被駆動部に伝達するギヤ連結機構およびファクシミリ装置に関する。
【背景技術】
【０００２】
モータからの駆動を伝達するギヤ連結機構は、様々な装置の動力伝達機構として用いられている。例えば、ギヤ連結機構をファクシミリ装置に適用したものが、（特許文献１）に記載されている。
【０００３】
この（特許文献１）に記載のファクシミリ装置は、ベース板の太陽ギヤが配置された位置に、複数の位置決め孔が形成され、アーム部材に配設された回転規制部材の下端が位置決め孔に嵌合した位置に応じて遊星ギヤが、複数の被駆動ギヤのうち、所定の被駆動ギヤに噛み合うことで、各種モード、例えば、送信モード、受信モード、コピーモードにおけるそれぞれのローラの回転を行うものである。
【特許文献１】特開２００１−３５８８９９号公報
【発明の開示】
【発明が解決しようとする課題】
【０００４】
（特許文献１）に記載のファクシミリ装置は、各種モードの切替えのために遊星ギヤが公転する際、遊星ギヤは複数の被駆動ギヤに当たりながら公転することになり、これら遊星ギヤが被駆動ギヤに当たるたびに大きな抵抗を受けるものと思われる。（特許文献１）に記載の装置は、この抵抗に勝るトルクを得るために遊星ギヤの公転を高速にすることができないものと想定される。また押圧バネによって回転規制部材を、その先部に向かって付勢しているので、回転規制部材が位置決め孔を通過する度に、回転規制部材が上下に移動する。従って、回転規制部材が位置決め孔を通過する度にベース板に衝突するので、そのことからもアーム部材の回転を高速にすることができないものと想定される。また、長期間使用していると、回転規制部材の劣化も懸念される。
【０００５】
そこで本発明は、動作モードの選択をスムーズに行えることが可能なギヤ連結機構およびファクシミリ装置を提供することを目的とする。
【課題を解決するための手段】
【０００６】
本発明は、駆動系からの動力を受けて回転する太陽ギヤと、前記太陽ギヤと同軸に配設され、動作モードに応じたカム溝が形成されたカムギヤと、前記カムギヤの回転により前記太陽ギヤの周囲を公転するように設けられた遊星ギヤと、揺動可能に軸支され、前記カムギヤが一方向に回転するときにはカム溝を通過し、前記カムギヤが他方向に回転するときにはカム溝に係止して前記遊星ギヤの公転を阻止することで、動作モードを選択する爪部を先端に有するアーム部と、前記爪部がカム溝に係止したときに、前記遊星ギヤに噛み合うことで、前記太陽ギヤの回転で自転する前記遊星ギヤの回転を、被駆動部へ伝達する伝達ギヤとを備えたことを特徴とする。
【０００７】
また、本発明のファクシミリ装置は、少なくとも、受信した内容を印刷するための記録紙搬送動作モードと、送信する原稿を読み取るための原稿搬送動作モードと、前記記録紙搬送動作モードおよび原稿搬送動作モードを並行して行うコピー動作モードとの切り替えを行うギヤ連結機構を有するファクシミリ装置において、駆動系からの動力を受けて回転する太陽ギヤと、前記太陽ギヤと同軸に配設され、動作モードに応じたカム溝が形成されたカムギヤと、前記カムギヤの回転により前記太陽ギヤの周囲を公転するように設けられた遊星ギヤと、揺動可能に軸支され、前記カムギヤが一方向に回転するときにはカム溝を通過し、前記カムギヤが他方向に回転するときにはカム溝に係止して前記遊星ギヤの公転を阻止することで、動作モードを選択する爪部を先端に有するアーム部と、前記爪部がカム溝に係止したときに、前記遊星ギヤに噛み合うことで、前記太陽ギヤの回転で自転する前記遊星ギヤの回転を、被駆動部へ伝達する伝達ギヤとを備え、前記動作モードを切り替えるときに、所望とする動作モードのカム溝の位置まで、前記駆動系により、前記カムギヤが一方向に回転するように前記太陽ギヤを駆動した後、前記カムギヤを他方向へ回転するように前記太陽ギヤを駆動することで、所望とする動作モードに該当するアーム部の爪部をカム溝に係止させて、前記遊星ギヤに噛み合った伝達ギヤが、動作モードに応じた被駆動部に回転を伝達することを特徴とする。
【発明の効果】
【０００８】
本発明は、動作モードの選択においては、爪部がカムギヤに多大な負荷をかけることなく、遊星ギヤの公転に大きな抵抗を伴わないので、動作モードの選択をスムーズに行うことが可能である。
【発明を実施するための最良の形態】
【０００９】
本発明の請求項１の発明は、駆動系からの動力を受けて回転する太陽ギヤと、太陽ギヤと同軸に配設され、動作モードに応じたカム溝が形成されたカムギヤと、カムギヤの回転により太陽ギヤの周囲を公転するように設けられた遊星ギヤと、揺動可能に軸支され、カムギヤが一方向に回転するときにはカム溝を通過し、カムギヤが他方向に回転するときにはカム溝に係止して遊星ギヤの公転を阻止することで、動作モードを選択する爪部を先端に有するアーム部と、爪部がカム溝に係止したときに、遊星ギヤに噛み合うことで、太陽ギヤの回転で自転する遊星ギヤの回転を、被駆動部へ伝達する伝達ギヤとを備えたことを特徴とするギヤ連結機構である。
【００１０】
このようにギヤ連結機構を構成することで、動作モードを選択するアーム部の爪部が、カムギヤが一方向に回転するときにはカム溝を通過し、カムギヤが他方向に回転するときにはカム溝に係止して遊星ギヤの公転を阻止し、伝達ギヤが公転を阻止された遊星ギヤに噛み合って、遊星ギヤの回転を被駆動部へ伝達するので、爪部がカムギヤに多大な負荷をかけることなく動作モードの選択を行うことができる。また、動作モードを選択する際の遊星ギヤの公転において、被駆動部へ回転を伝達する伝達ギヤが遊星ギヤに噛み合うことなく通過するので、遊星ギヤの公転に大きな抵抗は伴わない。
【００１１】
本発明の請求項２の発明は、伝達ギヤは、爪部の基部に設けられていることを特徴としたものである。
【００１２】
伝達ギヤを爪部の基部に設けることにより、アーム部が揺動し、爪部がカム溝に接近して係止するときに、伝達ギヤを遊星ギヤに噛み合わせることができるので、アーム部全体が揺動する範囲を少ないものとすることができる。従って、本発明のギヤ連結機構を小型化することができる。
【００１３】
本発明の請求項３の発明は、伝達ギヤが回転を伝達する最初のギヤを、アーム部の支軸に設けたことを特徴としたものである。
【００１４】
伝達ギヤが回転を伝達する最初のギヤを、アーム部の支軸に設けることで、更に、本発明のギヤ連結機構を小型化することができる。
【００１５】
本発明の請求項４の発明は、少なくとも、受信した内容を印刷するための記録紙搬送動作モードと、送信する原稿を読み取るための原稿搬送動作モードと、記録紙搬送動作モードおよび原稿搬送動作モードを並行して行うコピー動作モードとの切り替えを行うギヤ連結機構を有するファクシミリ装置において、駆動系からの動力を受けて回転する太陽ギヤと、太陽ギヤと同軸に配設され、動作モードに応じたカム溝が形成されたカムギヤと、カムギヤの回転により太陽ギヤの周囲を公転するように設けられた遊星ギヤと、揺動可能に軸支され、カムギヤが一方向に回転するときにはカム溝を通過し、カムギヤが他方向に回転するときにはカム溝に係止して遊星ギヤの公転を阻止することで、動作モードを選択する爪部を先端に有するアーム部と、爪部がカム溝に係止したときに、遊星ギヤに噛み合うことで、太陽ギヤの回転で自転する遊星ギヤの回転を、被駆動部へ伝達する伝達ギヤとを備え、動作モードを切り替えるときに、所望とする動作モードのカム溝の位置まで、駆動系により、カムギヤが一方向に回転するように太陽ギヤを駆動した後、カムギヤを他方向へ回転するように太陽ギヤを駆動することで、所望とする動作モードに該当するアーム部の爪部をカム溝に係止させて、遊星ギヤに噛み合った伝達ギヤが、動作モードに応じた被駆動部に回転を伝達するファクシミリ装置である。
【００１６】
このようにファクシミリ装置を構成することで、動作モードを選択するアーム部の爪部が、カムギヤが一方向に回転するときにはカム溝を通過し、カムギヤが他方向に回転するときにはカム溝に係止して遊星ギヤの公転を阻止し、伝達ギヤが公転を阻止された遊星ギヤに噛み合って、遊星ギヤの回転を被駆動部へ伝達するので、爪部がカムギヤに多大な負荷をかけることなく回転させて動作モードの選択を行うことができる。
【００１７】
（実施の形態）
本発明の実施の形態に係るファクシミリ装置を、図面に基づいて説明する。図１は、本発明の実施の形態に係るファクシミリ装置の斜視図である。図２は、図１に示すファクシミリ装置の給排紙の流れを示す概略断面図である。なお、図１においては、コードレス受話器は図示していない。
【００１８】
図１に示すように、本実施の形態に係るファクシミリ装置１は、受信した内容を印刷したり、送信する原稿を読み取ってファクシミリ送信したり、原稿を読み取って印刷することで複写したりする機能を有するファクシミリ機能付きコードレス電話装置の親機である。
【００１９】
図２に示すように、ファクシミリ装置１は、用紙および原稿の搬送経路および機能から、印刷部１００と読取部２００とに大きく分けることができる。印刷部１００には、給紙トレイ１０１にセットをされた記録紙を、記録紙給紙口Ｐ１から引き込む記録紙分離ローラ１０２および記録紙分離パッド１０３と、印刷ヘッド１０４およびプラテンローラ１０５と、記録紙を記録紙排紙口Ｘ１から排紙する記録紙排出ローラ１０６および記録紙排出従動ローラ１０７とを備えている。
【００２０】
この印刷ヘッド１０４とプラテンローラ１０５との間には、カートリッジ（図示せず）に収納されたインクリボン１０８が設けられている。インクリボン１０８は、インクリボン供給ローラ１０９からインクリボン巻取ローラ１１０へ記録紙に印刷するときに巻き取られる。
【００２１】
読取部２００は、セットされた複数枚の原稿を原稿給紙口Ｐ２から引き込んで、１枚１枚に分離する原稿分離ローラ２０１および原稿分離パッド２０２と、引き込んだ原稿の内容を読み取るスキャナ部２０３と、原稿を排出する原稿排出ローラ２０４と原稿排出従動ローラ２０５とを備えている。
【００２２】
次に、これらのローラを駆動するギヤ連結機構１０を、図３〜図７に基づいて説明する。図３は、本発明の実施の形態に係るギヤ連結機構および各種ローラを示す斜視図である。図４は、本発明の実施の形態に係るギヤ連結機構および各種ローラを示す図である。図５は、本発明の実施の形態に係るファクシミリ装置のギヤ連結機構の側面図である。図６は、図５においてケースを外した状態のギヤ連結機構の側面図である。図７は、本発明の実施の形態に係るファクシミリ装置のカムギヤを示す図である。
【００２３】
図３から図６に示すように、ギヤ連結機構１０は、ケースＣ１とケースＣ２とに収納され、駆動源としてＤＣ１２Ｖで動作する駆動モータ３００により駆動される。駆動モータ３００は、図示しないドライバ回路を含む制御部からの電源供給により所定回数分の正転および逆転が指示される。この駆動モータ３００には、その駆動軸に設けられた駆動ギヤ（図示せず）によって駆動される減速ギヤ１１が配設されている。減速ギヤ１１には、太陽ギヤ１２と共に、カムギヤ１３が、同軸に配設されている。ここで、カムギヤ１３について図７に基づいて詳細に説明する。
【００２４】
図７（ａ）および同図（ｂ）に示すように、カムギヤ１３には、リブ１３２によってカム溝１３１が、円周方向に向かって開口するように３箇所に形成されている。カムギヤ１３には、位置検知するためのスイッチ１５のレバー１５１（図６参照）を、カムギヤ１３の回転によって押し上げる凸部１３３が設けられている。そして、カムギヤ１３に形成されたカム溝１３１とは反対側となる面側には、太陽ギヤ１２の周囲を公転可能に、遊星ギヤ１４が３つ設けられている。
【００２５】
図３から図６に示すように、太陽ギヤ１２の周囲には、第１〜第３アーム部１６〜１８が設けられている。この第１〜第３アーム部１６〜１８には、カム溝１３１に係止するフック状の爪部１６１，１７１，１８１（図８〜図１３参照）と、その爪部１６１，１７１，１８１の基部に設けられた伝達ギヤ１６２，１７２，１８２とを備えている。伝達ギヤ１６２，１７２，１８２を、爪部１６１，１７１，１８１の基部に設けることで、第１〜第３アーム部１６〜１８が揺動して、伝達ギヤ１６２，１７２，１８２を遊星ギヤ１４に噛み合わせることができるので、第１〜第３アーム部１６〜１８全体が揺動する範囲を少ないものとすることができる。従って、ギヤ連結機構１０を小型化することができる。
【００２６】
第１アーム部１６が軸支されている支軸には、伝達ギヤ１６２によって駆動される最初のギヤとして、第１原稿搬送ギヤ１６３と、第２原稿搬送ギヤ１６４とが設けられている。この第２原稿搬送ギヤ１６４は、原稿分離ローラ２０１の基部に設けられた原稿給紙駆動ギヤ２０６を駆動することで、原稿分離ローラ２０１を回転させる。原稿給紙駆動ギヤ２０６は、原稿排出中継ギヤ２０７を介して原稿排出ローラ２０４の基部に設けられた原稿排出ギヤ２０８を回転させる。
【００２７】
この第２アーム部１７が軸支されている支軸には、伝達ギヤ１７２によって最初に駆動されるギヤとして、第１記録紙給紙ギヤ１７３と、第２記録紙給紙ギヤ１７４とが設けられている。この第２記録紙給紙ギヤ１７４は、記録紙分離ローラ１０２の基部に設けられた記録紙給紙駆動ギヤ１１１を駆動することで、記録紙分離ローラ１０２を回転させる。
【００２８】
第３アーム部１８が軸支されている支軸には、伝達ギヤ１８２によって最初に駆動されるギヤとして、第１プラテン駆動ギヤ１８３と、第２プラテン駆動ギヤ１８４とが設けられている。この第２プラテン駆動ギヤ１８４は、プラテンローラ１０５の基部に設けられたプラテンローラ駆動ギヤ１１２を駆動することで、プラテンローラ１０５を回転させる。また、第１プラテン駆動ギヤ１８３は、図示しない中継ギヤを介して、インクリボン巻取ローラ１１０を駆動する。つまり、プラテンローラ１０５が回転するときには、インクリボン巻取ローラ１１０も回転するように構成されている。
【００２９】
第１〜第３アーム部１６〜１８の伝達ギヤ１６２，１７２，１８２が回転を伝達する最初のギヤ（第１原稿搬送ギヤ１６３，第１記録紙給紙ギヤ１７３，第１プラテン駆動ギヤ１８３）を、第１〜第３アーム部１６〜１８の支軸に設けることで、更に、ギヤ連結機構１０を小型化することができる。
【００３０】
太陽ギヤ１２の回転を中継する第１中継ギヤ（図示せず）と、この第１中継ギヤと同軸に配設された第２中継ギヤ１９１とが一方向に回転するときに、原稿排出ローラ２０４を駆動する記録紙排出ギヤ１９２に噛み合い、他方向に回転するときには離脱する振り子ギヤ１９３（図６参照）が設けられている。この記録紙排出ギヤ１９２が回転することで、記録紙排出ローラ１０６の基部に設けられた記録紙排出駆動ギヤ１１３が回転する。つまり、動作モードを切り替えているとき以外には、記録紙排出ローラ１０６は回転するように構成されている。
【００３１】
第１アーム部１６の腕部１６５と、第３アーム部１８の腕部１８５とは、図示しないスプリングで接続されている。このスプリングにより第１アーム部１６の爪部１６１と、第３アーム部１８の爪部１８１とは、カムギヤ１３に向かって付勢されている。
【００３２】
また、第２アーム部１７も図示しないスプリングによって爪部１７１が、カムギヤ１３に向かって付勢されている。
【００３３】
以上のように構成される本発明の実施の形態に係るファクシミリ装置の動作を、更に図８から図１４に基づいて説明する。図８は、動作モードの切り替えを示す図である。図９は、送信モードを示す図である。図１０は、ピックアップモードを示す図である。図１１は、印刷モードを示す図である。図１２は、記録紙排出モードを示す図である。図１３は、ピックアップモードおよび印刷モードを示す図である。図１４は、複写排出モードを示す図である。
【００３４】
まずは、図８を参照しながら本実施の形態に係るギヤ連結機構１０が行う動作モードの切り替えについて説明する。
【００３５】
図６および図８に示すように、駆動モータ３００の回転を減速ギヤ１１で減速して、カムギヤ１３を一方向（図７においては反時計回り方向）に回転させる。カムギヤ１３は、カム溝１３１の開口が時計回り方向に向いているので、第１〜第３アーム部１６〜１８の爪部１６１，１７１，１８１は、最外周のリブ１３２を摺動して、カムギヤ１３のカム溝１３１に係止することなく通過する。カムギヤ１３の位置は、カムギヤ１３に設けられた凸部１３３が、カムギヤ１３が回転するに連れてスイッチ１５のレバー１５１を押し上げ、そして離れることで、スイッチ１５を回転位置検知センサとして機能させて検出している。
【００３６】
駆動モータ３００を、カム溝１３１が所定位置となるまで一方向に回転させた後、逆転させることでカムギヤ１３を他方向（図７においては時計回り方向）へ回転させる。そうすることで、カムギヤ１３に向かって付勢されている爪部１６１，１７１，１８１のうち、カム溝１３１の開口に位置したもののみが係止する。
【００３７】
このように、カムギヤ１３を一方向へ回転させて位置合わせした後に、他方向へ回転させて、第１〜第３アーム部１６〜１８の爪部１６１，１７１，１８１をカム溝１３１に係止することで動作モードの選択を行うので、爪部１６１，１７１，１８１がカムギヤ１３に多大な負荷をかけることなく、カムギヤ１３を回転させて動作モードの選択を行うことができる。この状態では、伝達ギヤ１６２，１７２，１８２は、それぞれの遊星ギヤ１４と噛み合っていないので、太陽ギヤ１２の回転は、被駆動部であるそれぞれのローラに伝達されない。従って、動作モードを選択する際の遊星ギヤ１４の公転において、伝達ギヤ１６２，１７２，１８２が遊星ギヤ１４に噛み合うことなく通過するので、遊星ギヤ１４の公転に大きな抵抗は伴わない。
【００３８】
次に、原稿を電話回線へファクシミリするときの送信モードを図９に基づいて説明する。この送信モードは、原稿を給紙してイメージデータを読み込み、排出するモードである。
【００３９】
まず、カムギヤ１３を一方向（図９においては反時計回り方向）に回転させた後に、駆動モータ３００を逆転してカムギヤ１３を他方向へ回転させて、図９に示すように第１アーム部１６の爪部１６１をカム溝１３１に係合させる。このとき、第２アーム部１７および第３アーム部１８のそれぞれの爪部１７１，１８１は、カム溝１３１には係止していない状態である。特に、第２アーム部１７の爪部１７１は、カム溝１３１の開口に位置しているが、カム溝１３１とは係止状態でなく、伝達ギヤ１７２は遊星ギヤ１４とは噛み合っていない。
【００４０】
爪部１６１がカム溝１３１に係止することで、第１アーム部１６がカムギヤ１３に接近して伝達ギヤ１６２が遊星ギヤ１４と噛み合い、太陽ギヤ１２に回転によって自転する遊星ギヤ１４の回転が、第１原稿搬送ギヤ１６３に伝達される。第１原稿搬送ギヤ１６３が回転することで、第２原稿搬送ギヤ１６４と原稿給紙駆動ギヤ２０６とが順次回転して、原稿分離ローラ２０１によりファクシミリ送信する原稿を分離しながら給紙する。
【００４１】
そして、給紙された原稿のイメージデータをスキャナ部２０３（図２参照）で読み取った後、原稿排出中継ギヤ２０７および原稿排出ギヤ２０８が回転することで、搬送された原稿を記録紙排出ローラ１０６および記録紙排出従動ローラ１０７により排出する。
【００４２】
次に、電話回線からのファクシミリを記録紙に印刷するときの受信モードを図１０から図１２に基づいて説明する。この受信モードは、最初に記録紙を給紙するピックアップモードから開始される。
【００４３】
まず、カムギヤ１３を一方向（図１０においては反時計回り方向）に回転させた後に、駆動モータ３００を逆転してカムギヤ１３を他方向へ回転させて、図１０に示すように第２アーム部１７の爪部１７１をカム溝１３１に係止させる。このとき、第１アーム部１６および第３アーム部１８のそれぞれの爪部１６１，１８１は、カム溝１３１には係止していない状態である。
【００４４】
爪部１７１がカム溝１３１に係止することで、第２アーム部１７がカムギヤ１３に接近して伝達ギヤ１７２が遊星ギヤ１４と噛み合い、太陽ギヤ１２に回転によって自転する遊星ギヤ１４の回転が、第１記録紙給紙ギヤ１７３に伝達される。第１記録紙給紙ギヤ１７３が回転することで、第２記録紙給紙ギヤ１７４と記録紙給紙駆動ギヤ１１１とが順次回転して、記録紙分離ローラ１０２によりイメージデータが印刷される記録紙を分離しながら給紙していく。
【００４５】
このピックアップモードでは、第２アーム部１７のみがカム溝１３１に係止して、記録紙の給紙のみを行うことで、インクリボンの無駄な巻き取りを防止している。
【００４６】
記録紙が給紙されプラテンローラ１０５の位置まで搬送されると、次に印刷モードへ切り替える。印刷モードへの切り替えは、カムギヤ１３を一方向に回転させて、ピックアップモードを解除した後に、他方向に逆転して、図１１に示すように、第３アーム部１８の爪部１８１のみをカムギヤ１３のカム溝１３１に係止させることで行われる。
【００４７】
第３アーム部１８の爪部１８１のみがカム溝１３１に係止することで、第３アーム部１８がカムギヤ１３に接近して伝達ギヤ１８２が遊星ギヤ１４に噛み合い、自転する遊星ギヤ１４の回転が第１プラテン駆動ギヤ１８３に伝達する。第１プラテン駆動ギヤ１８３が回転することで、第２プラテン駆動ギヤ１８４とプラテンローラ駆動ギヤ１１２とが順次回転して、プラテンローラ１０５により記録紙が印刷ヘッド１０４で印刷されながら搬送される。このとき、第１プラテン駆動ギヤ１８３が、中継ギヤを介在して、インクリボン巻取ローラ１１０を駆動するので、プラテンローラ１０５と共に、インクリボン巻取ローラ１１０も回転する。
【００４８】
記録紙は、印刷ヘッド１０４で印刷されながら搬送されることで、その先端は、記録紙排出ローラ１０６まで到達する。駆動モータ３００によって記録紙排出ローラ１０６は、動作モードの切り替えするとき以外では常に回転しているので、記録紙はそのまま排出される。そして記録紙の印刷が終了すると、最後に、動作モードを印刷モードから記録紙排出モードへと切り替える。
【００４９】
なお、この記録紙排出モードでは、図１２に示すように、第１〜第３アーム部１６〜１８のいずれの爪部１６１，１７１，１８１の先端はカム溝１３１に入り込んでいないが、第１アーム部１６の爪部１６１の甲がカム溝１３１の開口を塞ぐように当接することで、カムギヤ１３の時計回りの回転を規制する。このときには、伝達ギヤ１６２，１７２，１８２は何れも遊星ギヤ１４と噛み合っていないので、記録紙分離ローラ１０２、プラテンローラ１０５、インクリボン巻取ローラ１１０、原稿分離ローラ２０１、原稿排出ローラ２０４のいずれも回転せず、駆動モータ３００は記録紙排出ローラ１０６のみを回転させる。従って、印刷が終了し、プラテンローラ１０５を通過した記録紙は、記録紙排出ローラ１０６によってインクリボンの巻き取り動作を伴わずに排出される。
【００５０】
次に、原稿を読み取って記録紙に印刷する複写モードを、図９から図１４に基づいて説明する。この複写モードは、原稿を給紙して、イメージデータを読み取り、読み取ったイメージデータを給紙した記録紙へ印刷し、そして原稿と、記録紙とを排出する動作モードである。この複写モードは、最初に記録紙を給紙する送信モードから開始される。この送信モードは、原稿を電話回線へファクシミリするときの動作モードと同じ動作となる。つまり。カムギヤ１３を一方向へ回転させた後に、カムギヤ１３を他方向へ回転させて、図９に示すように第１アーム部１６の爪部１６１をカム溝１３１に係止させることで、原稿分離ローラ２０１を駆動して複写する原稿を分離しながら給紙して、原稿をスキャナ部２０３でのイメージデータの読み取りを開始する。
【００５１】
原稿を給紙してスキャナ部２０３での読み取りが開始されると、次に、受信モードの最初の動作モードであるピックアップ動作モードへ遷移して、記録紙の給紙を開始する。つまり、カムギヤ１３を一方向へ回転させて、送信モードを解除した後に、カムギヤ１３を他方向へ回転させて、図１０に示すように第２アーム部１７の爪部１７１をカム溝１３１に係止させて、記録紙分離ローラ１０２を駆動して、記録紙を分離しながら給紙して、インクリボンの巻き取りを行わずに、記録紙をプラテンローラ１０５まで搬送する。
【００５２】
次に、ピックアップモードと印刷モードとを並行して行う動作モードへ切り替える。この動作モードは、カムギヤ１３を一方向（図１３においては反時計回り方向）に回転させて、ピックアップモードを解除した後に、駆動モータ３００を逆転してカムギヤ１３を他方向へ回転させて、図１３に示すように、第２アーム部１７の爪部１７１と、第３アーム部１８の爪部１８１とをカム溝１３１に係止させる。このとき、第１アーム部１６の爪部１６１は、カム溝１３１には係止していない状態である。このように第２アーム部１７と第３アーム部１８とのそれぞれの爪部１７１，１８１をカム溝１３１に係止させることで、図１０で説明したピックアップモードと図１１で説明した印刷モードとの両動作モードが並行して動作するモードとなる。従って、原稿分離ローラ２０１を駆動して原稿を引き込みつつ、スキャナ部２０３で読み取ったイメージデータを記録紙に印刷することができる。
【００５３】
イメージデータを読み取った原稿が原稿排出ローラ２０４まで到達し、印刷が終わった記録紙が記録紙排出ローラ１０６まで到達して、記録紙の後端が記録紙分離ローラ１０２を通過すると、複写排出モードへ切り替える。複写排出モードは、原稿の給紙と排出とを行う送信モードを行いながら、記録紙の印刷と排出を行う印刷モードを行う動作モードである。この動作モードは、カムギヤ１３を一方向（図１４においては反時計回り方向）に回転させて、ピックアップモードおよび印刷モードを解除した後に、カムギヤ１３を他方向へ回転させて、図１４に示すように、第１アーム部１６の爪部１６１と、第３アーム部１８の爪部１８１とをカム溝１３１に係止させる。このとき、第２アーム部１７の爪部１７１は、カム溝１３１には係止していない状態である。このように第１アーム部１６と第３アーム部１８とのそれぞれの爪部１６１，１８１をカム溝１３１に係止させることで、図９に示す送信モードと、図１１に示す印刷モードとの両動作モードが並行して動作する複写排出モードとなる。従って、原稿分離ローラ２０１および原稿排出ローラ２０４を駆動して、原稿を搬送しながら、スキャナ部２０３で読み取ったイメージデータを記録紙に印刷することができる。
【００５４】
次に、記録紙への印刷が終了すると、図１２に示す記録紙を排出する記録紙排出モードへ切り替わり、記録紙を記録紙排出ローラ１０６によって排出する。そして、記録紙の排出が終了すると、最後に、図９に示す送信モードへ切り替わり、原稿を排出する。
【産業上の利用可能性】
【００５５】
本発明は、動作モードの選択をスムーズに行えることが可能なので、駆動源からの回転を被駆動部に伝達するギヤ連結機構およびファクシミリ装置に好適である。
【図面の簡単な説明】
【００５６】
【図１】本発明の実施の形態に係るファクシミリ装置の斜視図
【図２】図１に示すファクシミリ装置の給排紙の流れを示す概略断面図
【図３】本発明の実施の形態に係るギヤ連結機構および各種ローラを示す斜視図
【図４】本発明の実施の形態に係るギヤ連結機構および各種ローラを示す図
【図５】本発明の実施の形態に係るファクシミリ装置のギヤ連結機構の側面図
【図６】図５においてケースを外した状態のギヤ連結機構の側面図
【図７】本発明の実施の形態に係るファクシミリ装置のカムギヤを示す図
【図８】動作モードの切り替えを示す図
【図９】送信モードを示す図
【図１０】ピックアップモードを示す図
【図１１】印刷モードを示す図
【図１２】記録紙排出モードを示す図
【図１３】ピックアップモードおよび印刷モードを示す図
【図１４】複写排出モードを示す図
【符号の説明】
【００５７】
１    ファクシミリ装置
１０    ギヤ連結機構
１１    減速ギヤ
１２    太陽ギヤ
１３    カムギヤ
１４    遊星ギヤ
１５    スイッチ
１６    第１アーム部
１７    第２アーム部
１８    第３アーム部
１００    印刷部
１０１    給紙トレイ
１０２    記録紙分離ローラ
１０３    記録紙分離パッド
１０４    印刷ヘッド
１０５    プラテンローラ
１０６    記録紙排出ローラ
１０７    記録紙排出従動ローラ
１０８    インクリボン
１０９    インクリボン供給ローラ
１１０    インクリボン巻取ローラ
１１１    記録紙給紙駆動ギヤ
１１２    プラテンローラ駆動ギヤ
１１３    記録紙排出駆動ギヤ
１３１    カム溝
１３２    リブ
１３３    凸部
１５１    レバー
１６１    爪部
１６２    伝達ギヤ
１６３    第１原稿搬送ギヤ
１６４    第２原稿搬送ギヤ
１６５    腕部
１７１    爪部
１７２    伝達ギヤ
１７３    第１記録紙給紙ギヤ
１７４    第２記録紙給紙ギヤ
１８１    爪部
１８２    伝達ギヤ
１８３    第１プラテン駆動ギヤ
１８４    第２プラテン駆動ギヤ
１８５    腕部
１９１    第２中継ギヤ
２００    読取部
２０１    原稿分離ローラ
２０２    原稿分離パッド
２０３    スキャナ部
２０４    原稿排出ローラ
２０５    原稿排出従動ローラ
２０６    原稿給紙駆動ギヤ
２０７    原稿排出中継ギヤ
２０８    原稿排出ギヤ
３００    駆動モータ
Ｐ１    記録紙給紙口
Ｐ２    原稿給紙口
【図１】
2008060782.tif 000003
【図２】
2008060782.tif 000004
【図３】
2008060782.tif 000005
【図４】
2008060782.tif 000006
【図５】
2008060782.tif 000007
【図６】
2008060782.tif 000008
【図７】
2008060782.tif 000009
【図８】
2008060782.tif 000010
【図９】
2008060782.tif 000011
【図１０】
2008060782.tif 000012
【図１１】
2008060782.tif 000013
【図１２】
2008060782.tif 000014
【図１３】
2008060782.tif 000015
【図１４】
2008060782.tif 000016